(57)【要約】【課題】電話による抽選イベント等を容易に実施することを可能とする。【解決手段】抽選通知装置に、複数の発信者からの所定の電話番号への発信に係る着信呼情報を取得する取得手段と、前記取得手段により取得された着信呼情報から抽選を行って、当選者を選定する抽選手段と、前記抽選手段により選定された当選者の着信呼情報に基づいて、当該当選者の利用者端末にメッセージを送信するメッセージ送信手段と、前記メッセージに基づき前記利用者端末から受信した利用者情報を利用者情報記憶手段に格納する利用者情報登録手段とを備える。【選択図】図４
2015082741.tif 000002
【特許請求の範囲】
【請求項１】
複数の発信者からの所定の電話番号への発信に係る着信呼情報を取得する取得手段と、
前記取得手段により取得された着信呼情報から抽選を行って、当選者を選定する抽選手段と、
前記抽選手段により選定された当選者の着信呼情報に基づいて、当該当選者の利用者端末にメッセージを送信するメッセージ送信手段と、
前記メッセージに基づき前記利用者端末から受信した利用者情報を利用者情報記憶手段に格納する利用者情報登録手段と
を備えることを特徴とする抽選通知装置。
【請求項２】
前記抽選通知装置にネットワーク接続された抽選実施者端末からの要求に基づいて、前記利用者情報記憶手段に格納された利用者情報を当該抽選実施者端末に提供する手段
を備えることを特徴とする請求項１に記載の抽選通知装置。
【請求項３】
前記メッセージ送信手段は、前記抽選通知装置のアドレス情報を含むメッセージを前記利用者端末に送信し、
前記利用者端末から前記アドレス情報に基づきアクセスを受け、当該利用者端末に利用者情報登録画面情報を提供する手段
を備えることを特徴とする請求項１又は２に記載の抽選通知装置。
【請求項４】
前記メッセージ送信手段は、前記着信呼情報における発信電話番号を用いて前記利用者端末にメッセージを送信する
請求項１ないし３のうちいずれか１項に記載の抽選通知装置。
【請求項５】
前記抽選通知装置は、予め設定される抽選設定情報を格納する抽選設定情報記憶手段を備え、前記抽選手段は、当該抽選設定情報に基づく抽選方法で抽選を行う
ことを特徴とする請求項１ないし４のうちいずれか１項に記載の抽選通知装置。
【請求項６】
コンピュータを、請求項１ないし５のうちいずれか１項に記載の抽選通知装置として機能させるためのプログラム。
【請求項７】
通信ネットワークを介して利用者端末と通信可能な抽選通知装置が実行する抽選通知方法であって、
複数の発信者からの所定の電話番号への発信に係る着信呼情報を取得する取得ステップと、
前記取得ステップにより取得された着信呼情報から抽選を行って、当選者を選定する抽選ステップと、
前記抽選ステップにより選定された当選者の着信呼情報に基づいて、当該当選者の利用者端末にメッセージを送信するメッセージ送信ステップと、
前記メッセージに基づき前記利用者端末から受信した利用者情報を利用者情報記憶手段に格納する利用者情報登録ステップと
を備えることを特徴とする抽選通知方法。
【発明の詳細な説明】
【技術分野】
【０００１】
本発明は、電話発信を行った複数の電話発信者から抽選を行い、当選者を選定する技術に関連するものである。
【背景技術】
【０００２】
多数の利用者が１つの電話番号に電話をかけることで、当該多数の利用者に情報を提供することを可能とする電話付加サービスが従来から提供されている。
【０００３】
この電話付加サービスをＴＶ等のマスメディアと連動した抽選イベントに利用することが行われている。このような電話付加サービスを利用した抽選イベントは、利用者にとっては電話をかけるだけでよいので手軽に抽選に参加できるという利点がある。
【０００４】
なお、電話により抽選を行う技術に関連する先行技術文献として特許文献１がある。
【先行技術文献】
【特許文献】
【０００５】
【特許文献１】特開２００３−１４３２９６号公報
【発明の概要】
【発明が解決しようとする課題】
【０００６】
しかし、従来技術では、抽選を実施する側の担当者（番組スタッフ等）は、複数の発信電話番号の中からいくつかの電話番号を人為的に選択することで抽選を実施し、個別に当選者への連絡をしなければならず、煩雑な手間がかかるという問題があった。
【０００７】
本発明は上記の点に鑑みてなされたものであり、電話による抽選イベント等を容易に実施することを可能とする技術を提供することを目的とする。
【課題を解決するための手段】
【０００８】
上記の課題を解決するために、本発明の一実施形態によれば、複数の発信者からの所定の電話番号への発信に係る着信呼情報を取得する取得手段と、
前記取得手段により取得された着信呼情報から抽選を行って、当選者を選定する抽選手段と、
前記抽選手段により選定された当選者の着信呼情報に基づいて、当該当選者の利用者端末にメッセージを送信するメッセージ送信手段と、
前記メッセージに基づき前記利用者端末から受信した利用者情報を利用者情報記憶手段に格納する利用者情報登録手段とを備えることを特徴とする抽選通知装置が提供される。
【発明の効果】
【０００９】
本発明の実施の形態によれば、電話による抽選イベント等を容易に実施することが可能となる。
【図面の簡単な説明】
【００１０】
【図１】本発明の実施の形態に係るシステムの全体構成図である。
【図２】抽選通知装置１０の機能構成図である。
【図３】抽選設定情報格納部１２に格納される抽選設定情報の項目の例を示す図である。
【図４】本実施の形態におけるシステムの動作を説明するためのシーケンス図である。
【図５】利用者端末３０に表示される画面例を示す図である。
【発明を実施するための形態】
【００１１】
以下、図面を参照して本発明の実施の形態を説明する。なお、以下で説明する実施の形態は一例に過ぎず、本発明が適用される実施の形態は、以下の実施の形態に限られるわけではない。
【００１２】
（システム構成）
図１に、本実施の形態に係る抽選システムの全体構成例を示す。図１に示すとおり、本実施の形態の抽選システムは、抽選通知装置１０、抽選実施者端末２０、利用者端末３０、電話情報処理装置４０を有する。図１には、利用者端末３０が１つだけ示されているが、実際には多数存在する。図１には、多数の利用者端末の代表として利用者端末３０が示されている。
【００１３】
抽選実施者端末２０、利用者端末３０、及び電話情報処理装置４０は、インターネット等の通信ネットワークを介して抽選通知装置１０と通信可能である。また、電話情報処理装置４０は、電話網を介して利用者端末３０と通信可能である。つまり、利用者端末３０は、電話情報処理装置４０に対応する所定の電話番号に発信することで電話情報処理装置４０と電話通信を行うことができる。
【００１４】
なお、電話網は、固定電話網、携帯電話網、ＶｏＩＰ網等のいずれでもよく、これらを組み合わせた網であってもよい。電話情報処理装置４０は、電話網に含まれる装置であってもよい。また、利用者端末３０は、抽選通知装置１０と電話網を介して通信することも可能である。
【００１５】
抽選通知装置１０は、本発明の実施の形態に係る抽選処理、当選通知処理等を行う装置である。抽選通知装置１０の詳細は後述する。
【００１６】
利用者端末３０は、所定の電話番号に電話をすることができる機能を有する携帯電話機、スマートフォン、固定電話機等であり、本実施の形態では、利用者端末３０は、画面表示機能及びＷｅｂブラウザを備える。利用者端末３０から所定の電話番号に電話発信を行うことで、電話情報処理装置４０に着信がなされる。
【００１７】
電話情報処理装置４０は、利用者端末３０が所定の電話番号で電話発信を行うことで着信を受け、利用者端末３０に音声情報を流す機能を備える。また、電話情報処理装置４０は着信呼情報格納部４１を備え、着信呼の情報を着信呼情報格納部４１に格納する。着信呼の情報は、例えば、着信呼毎の発信電話番号及び着信日時（時刻）を含む。
【００１８】
本実施の形態では、多数の利用者が１つの電話番号（上記所定の電話番号）に電話をかけることで、当該多数の利用者に情報を提供することを可能とする電話付加サービスを利用することを想定しており、電話情報処理装置４０は、そのようなサービスにおける着信呼の情報を格納する機能を有している。ただし、本発明の適用においてそのようなサービスは必須ではなく、当該サービスを用いなくても本発明は実施可能である。例えば、電話情報処理装置４０を所定の電話番号を持つ複数電話回線に接続し、当該電話回線からの着信呼の情報を格納するとともに、着信があったときに音声情報を流す機能を備えればよい。
【００１９】
抽選実施者端末２０は、抽選イベント等を行う抽選実施者の端末であり、抽選通知装置１０にアクセスして、抽選設定情報を登録したり、抽選通知装置１０から当選者の利用者情報を取得する等の処理を行う。
【００２０】
図２に、抽選通知装置１０の機能構成図を示す。図２に示すように、抽選通知装置１０は、抽選処理部１１、抽選設定情報格納部１２、抽選実施制御部１３、メッセージ送信部１４、利用者情報登録処理部１５、利用者情報格納部１６を備える。抽選通知装置１０は、１つのコンピュータ（サーバ）を用いて実現してもよいし、例えば機能部毎に別々のコンピュータを用いることにより、複数コンピュータで実現することとしてもよい。また、各機能部は、別々に使用することも可能である。例えば、抽選処理部１１を単独で使用することで、後述するように、電話調査等での集計を行うことが可能である。
【００２１】
抽選処理部１１は、抽選設定情報格納部１２に格納された抽選設定情報に基づいて、電話情報処理装置４０における着信呼情報格納４１から着信呼情報を取得し、メモリ等の記憶手段に保持するとともに、取得した着信呼情報における複数の発信電話番号から抽選（選択）を行う。
【００２２】
メッセージ送信部１４は、抽選処理部１１の抽選により当選した発信呼の利用者端末３０に対して、当選したことを通知するメッセージを送信する。本実施の形態では、メッセージ送信部１４は、当選した発信電話番号に対してＳＭＳ（Short Message Service）メッセージを送信することとしているが、メッセージの種類はＳＭＳに限られない。例えば、メッセージ通知に音声メッセージ、電子メールを用いてもよい。メッセージ送信部１４が当選者の利用者端末３０に送信するメッセージには抽選通知装置１０にアクセスするためのＵＲＬ（抽選通知装置１０のアドレス情報）が記載されている。
【００２３】
利用者情報登録処理部１５は、メッセージ送信部１４から当選者の利用者端末３０に送信され、利用者端末３０上に表示されるメッセージの中のＵＲＬに基づいて利用者端末３０からアクセスされる機能部である。利用者情報登録処理部１５は、利用者端末３０からのアクセスを受けて、利用者端末３０に利用者情報登録画面（Ｗｅｂページ）を提供し、当該利用者情報登録画面のフォームから入力された利用者情報を受信し、利用者情報を利用者情報格納部１６に格納する。利用者情報格納部１６には、利用者情報登録処理部１５が利用者端末３０から受信した利用者情報が格納される。
【００２４】
利用者情報格納部１６には更に  抽選処理部１１から当選者の発信電話番号を格納することとしてもよい。このようにすることで、例えば、利用者端末３０から受信した利用者情報の電話番号と、当選者の発信電話番号とを照合して、利用者情報が正しいかどうかをチェックすることができる。
【００２５】
抽選実施制御部１３は、抽選実施者端末２０に、例えば抽選設定情報入力画面を提供して、抽選実施者端末２０から抽選設定情報を受信し、それを抽選設定情報格納部１２に格納する。また、抽選実施制御部１３は、抽選実施者端末２０からの要求に基づき、利用者情報格納部１６から当選者の利用者情報を取得し、抽選実施者端末２０に送信する。
【００２６】
図３に、抽選設定情報格納部１２に格納される抽選設定情報の項目、及び設定値の例を示す。抽選処理部１１は、抽選設定情報に従って、当該項目に示すような種々の設定の抽選方法で抽選処理を行うことが可能である。
【００２７】
図３に示す「対象期間」は、抽選の対象とする着信呼情報の時間帯を指定するものであり、抽選処理部１１は「対象期間」で指定された時間帯に着信した着信呼（発信電話番号）から抽選を行う。「抽選抽出」は、抽選を行うかどうかを指定するものであり、この値が「有」の場合に、「抽選数」で指定された数の発信電話番号の抽出が行われる。この値が「無」の場合は、「対象期間」に該当する全部の発信電話番号が抽出される。このように全部の発信電話番号を抽出する抽選方法により、所定の電話番号に電話をかけてきた全員に情報提供を行ったり、全員の利用者情報を取得することができる。
【００２８】
「抽選重複」は、これが「無」の場合に、複数回発信を行った発信者を一人と扱って抽出を行うことができる。「抽選パターン」は、抽選をランク付けするものである。このパターンの設定により、抽選モレの"ハズレ"も抽出でき、落選者への通知も行うことができる。
【００２９】
また、「抽選パターン」の項目の設定により、抽選を例えば1位〜５位のようにランク付けして、ランク毎に抽選数を設定したり、比率に応じた抽選を行うことができる。このような設定がなされている場合、抽選処理部１１は、抽選を行った際に、利用者情報格納部１６に、ランク毎の当選した発信電話番号を格納する。そして、抽選実施制御部１３は、利用者情報を抽選実施者端末２０に送信する際に、当該ランク毎の発信電話番号に基づいて、当選者がどのランクに該当するかの情報を付けて利用者情報を抽選実施者端末２０に送信することができる。これにより、抽選実施者は、ランクに応じた賞品発送等を行うことができる。
【００３０】
「メッセージ通知」は、メッセージ通知の有無を示すものである。メッセージ通知が無の場合、例えば電話調査等での集計のみの利用を行うことができる。
【００３１】
「再抽選」は、完了済みの抽選企画に対し、当選済み発信電話番号を除いた電話番号に対する再抽選の設定ができるものである。「メッセージ通知タイマー送信」は、メッセージ通知を行う時間指定を可能とするものである。「抽選率」は、全員抽出の場合に、比率に応じた情報パターンを送信できるものである。例えば、Ａ情報を１０％の利用者に送り、Ｂ情報を３０％の利用者に送信するといったことが可能である。
【００３２】
「メッセージ」は、利用者端末３０に送信するメッセージの内容（所定文字数内）を設定するものである。「発信時刻挿入」は、これが「有」の場合に、利用者端末３０に送信するメッセージの先頭に所定の電話番号への発信時刻を挿入できるものである。「受付画面カスタマイズ」は、利用者情報登録画面のカスタマイズを可能とする項目であり、タイトル、説明文、受付項目、注意書き、画面配色等を設定できる。
【００３３】
上記のような設定項目に加えて、例えば、電話をかけてきた頻度や時間に応じて当選確率を上げる設定を行うようにしてもよい。例えば、所定時間内に電話をかけてきた回数に比例して当選確率を上げるようにすることができる。更に、当選によって、当選者にポイントを提供するように設定できるようにしてもよい。
【００３４】
また、抽選対象を抽出する条件として、上記の「対象期間」のように、抽選対象とする着信呼情報の時間帯を指定することの他、通話時間が一定以上の着信呼を抽選対象として指定することもできる。これにより、音声情報（例えば宣伝等）を最後（もしくは一定時間）まで聞いた利用者のみを抽選対象としたり、当該利用者の抽選比率を上げたりすることができる。
【００３５】
本実施の形態に係る抽選通知装置１０は、１つ又は複数のコンピュータに、本実施の形態で説明する処理内容を記述したプログラムを実行させることにより実現可能である。すなわち、抽選通知装置１０が有する機能は、当該コンピュータに内蔵されるＣＰＵやメモリ、ハードディスクなどのハードウェア資源を用いて、抽選通知装置１０で実施される処理に対応するプログラムを実行することによって実現することが可能である。また、上記プログラムは、コンピュータが読み取り可能な記録媒体（可搬メモリ等）に記録して、保存したり、配布したりすることが可能である。また、上記プログラムをインターネットや電子メールなど、ネットワークを通して提供することも可能である。
【００３６】
（システムの動作）
次に、図４のシーケンス図を参照して、本実施の形態に係るシステムの動作例を説明する。以下の説明では、図２に示した機能部を適宜参照する。
【００３７】
以下の例では、抽選実施者により、所定の電話番号の設定や、電話情報処理装置４０から流される音声情報の設定は済んでいるものとする。
【００３８】
まず、抽選実施者は、抽選実施者端末２０から抽選通知装置１０の抽選実施制御部１３にアクセスして、抽選方法の設定を行う（ステップ１０１）。ここでは、例えば、抽選実施者端末２０上で図３に示す各項目の値の入力が行われ、抽選設定情報が抽選通知装置１０の抽選実施制御部１３に送られ、抽選実施制御部１３は、受信した抽選設定情報を抽選設定情報格納部１２に格納する。
【００３９】
その後、抽選イベントが開始され、利用者端末３０を含む複数の利用者端末から所定の電話番号に電話発信がされる。本実施の形態では、当該電話の発信呼は、電話情報処理装置４０に着信する（ステップ１０２）。電話情報処理装置４０において、着信呼情報格納部４１の中に着信呼の情報（発信電話番号、時刻等）が格納されるとともに、電話情報処理装置４０から利用者端末３０に音声情報が流される（ステップ１０３）。この音声情報は、例えば、当選した場合にメッセージが送付されることや、当選した後の手順説明等を含む。
【００４０】
また、所定期間の経過や、所定の応募総数に達したかどうかを検知する機能を電話情報処理装置４０に備え、所定期間が経過したり、所定の応募総数に達した後に電話着信があった場合に、音声情報として「応募終了」の旨の情報を流すこととしてもよい。
【００４１】
また、音声情報の途中や最後に「応募（エントリー）が完了した」ことを知らせるメッセージを付加してもよい。これにより、利用者が応募を受け付けられたことを知ることができ、応募を受け付けられたことを知った時点で電話を切ることが可能になる。
【００４２】
このような処理が複数の利用者端末に対してなされ、着信呼情報格納部４１には複数の利用者端末からの着信呼情報が蓄積されていく。
【００４３】
イベント開始後、抽選通知装置１０の抽選処理部１１は、着信呼情報格納部４１から着信呼情報を取得し、記憶手段に保持する（ステップ１０４）。この着信呼情報の取得処理は、例えば所定時間毎に行われる。
【００４４】
そして、抽選処理部１１は、抽選設定情報格納部１２に格納されている抽選設定情報に従って、ステップ１０４で取得した着信呼情報から抽選を行う（ステップ１０５）。例えば、図３に示した設定情報における「対象期間」が、Ｔ０〜Ｔ１であり、「抽選抽出」有で、「抽選数」がＮであるとすると、抽選処理部１１は、取得した着信呼情報におけるＴ０〜Ｔ１に対応する発信電話番号の中から、Ｎ個の発信電話番号を抽出する。
【００４５】
抽出された発信電話番号は、抽選処理部１１からメッセージ送信部１４に渡され、メッセージ送信部１４は、抽出された発信電話番号の各々に宛ててＵＲＬを含むメッセージ（本例ではＳＭＳメッセージ）を送信する（ステップ１０６）。
【００４６】
利用者端末３０にはＵＲＬを含むメッセージが表示される。利用者端末３０において、ＵＲＬがクリックされる等の操作が行われることで、利用者端末３０から抽選通知装置１０の利用者情報登録処理部１５にアクセスがなされる（ステップ１０７）。
【００４７】
アクセス（要求）を受けた利用者情報登録処理部１５は、受付画面の情報を利用者端末に送信する（ステップ１０８）。受付画面の情報を受信した利用者端末３０は、受付画面を表示する（ステップ１０９）。利用者端末３０に表示される画面の例を図５に示す。図５に示すように、利用者に当選したことを通知するとともに、利用者に関する情報を入力する画面が利用者端末３０に表示される。
【００４８】
利用者（当選者）は、受付画面から利用者情報を入力し、「登録」ボタンを押す（ステップ１０９）。これにより、利用者端末３０から利用者情報が抽選通知装置１０の利用者情報登録処理部１５に送信され（ステップ１１０）、利用者情報登録処理部１５が利用者情報を利用者情報格納部１６に格納する。
【００４９】
その後、抽選実施者は、抽選実施者端末２０により抽選通知装置１０の抽選実施制御部１３にアクセスすることにより当選者の利用者情報を要求し、抽選実施制御部１３は、利用者情報格納部１６から利用者情報を取得して、抽選実施者端末２０に送信する（ステップ１１１）。抽選実施者は、受信した利用者情報の住所に賞品を発送することができる。
【００５０】
上記の例では、電話発信に用いる利用者端末３０と、メッセージ受信及び利用者情報登録を行う利用者端末３０とが同一であるが、これらは同一でなくてもよい。例えば、ある発信者がある端末から電話発信を行い、当選した場合に、抽選通知装置１０は当該発信者の電話番号に対応して予め登録されたメールアドレスにメッセージを送信し、当選者は、電話発信を行った端末とは別の端末でメールを受信すること等が可能である。
【００５１】
（実施の形態のまとめ、効果等）
本実施の形態では、複数の発信者からの所定の電話番号への発信に係る着信呼情報を取得する取得手段と、前記取得手段により取得された着信呼情報から抽選を行って、当選者を選定する抽選手段と、前記抽選手段により選定された当選者の着信呼情報に基づいて、当該当選者の利用者端末にメッセージを送信するメッセージ送信手段と、前記メッセージに基づき前記利用者端末から受信した利用者情報を利用者情報記憶手段に格納する利用者情報登録手段とを備える抽選通知装置が提供される。
【００５２】
前記抽選通知装置は、前記抽選通知装置にネットワーク接続された抽選実施者端末からの要求に基づいて、前記利用者情報記憶手段に格納された利用者情報を当該抽選実施者端末に提供する手段を備えてもよい。
【００５３】
前記メッセージ送信手段は、例えば前記抽選通知装置のアドレス情報を含むメッセージを前記利用者端末に送信し、前記抽選通知装置は、前記利用者端末から前記アドレス情報に基づきアクセスを受け、当該利用者端末に利用者情報登録画面情報を提供する手段を備えてもよい。
【００５４】
また、前記メッセージ送信手段は、例えば前記着信呼情報における発信電話番号を用いて前記利用者端末にメッセージを送信する。また、前記抽選通知装置は、予め設定される抽選設定情報を格納する抽選設定情報記憶手段を備え、前記抽選手段は、当該抽選設定情報に基づく抽選方法で抽選を行うこととしてもよい。
【００５５】
本実施の形態に係る技術によれば、抽選イベント等の実施者にとって、煩雑な手間がかかるという問題が解消され、電話による抽選イベント等を容易に実施することが可能となる。
【００５６】
本発明は、上記の実施の形態に限定されることなく、特許請求の範囲内において、種々変更・応用が可能である。
【符号の説明】
【００５７】
１０  抽選通知装置
２０  抽選実施者端末
３０  利用者端末
４０  電話情報処理装置
４１  着信呼情報格納部
１１  抽選処理部
１２  抽選設定情報格納部
１３  抽選実施制御部
１４  メッセージ送信部
１５  利用者情報登録処理部
１６  利用者情報格納部
【図１】
2015082741.tif 000003
【図２】
2015082741.tif 000004
【図３】
2015082741.tif 000005
【図４】
2015082741.tif 000006
【図５】
2015082741.tif 000007
【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
複数の発信者からの所定の電話番号への発信に係る着信呼情報を取得する取得手段と、
前記取得手段により取得された着信呼情報から抽選を行って、当選者を選定する抽選手段と、
前記抽選手段により選定された当選者の着信呼情報に基づいて、当該当選者の利用者端末にメッセージを送信するメッセージ送信手段と、
前記メッセージに基づき前記利用者端末から受信した利用者情報を利用者情報記憶手段に格納する利用者情報登録手段とを備える抽選通知装置であって、
前記メッセージ送信手段は、前記抽選通知装置のアドレス情報を含むメッセージを前記当選者の利用者端末に送信し、
当該利用者端末から前記アドレス情報に基づきアクセスを受け、当該利用者端末に利用者情報登録画面情報を提供する手段
を備えることを特徴とする抽選通知装置。
【請求項２】
前記抽選通知装置にネットワーク接続された抽選実施者端末からの要求に基づいて、前記利用者情報記憶手段に格納された利用者情報を当該抽選実施者端末に提供する手段
を備えることを特徴とする請求項１に記載の抽選通知装置。
【請求項３】
前記メッセージ送信手段は、前記着信呼情報における発信電話番号を用いて前記利用者端末にメッセージを送信する
請求項１又は２に記載の抽選通知装置。
【請求項４】
前記抽選通知装置は、予め設定される抽選設定情報を格納する抽選設定情報記憶手段を備え、前記抽選手段は、当該抽選設定情報に基づく抽選方法で抽選を行う
ことを特徴とする請求項１ないし３のうちいずれか１項に記載の抽選通知装置。
【請求項５】
前記抽選通知装置の抽選設定情報記憶手段において再抽選を行うことを示す情報が設定されている場合に、前記抽選手段は、当選済み着信呼情報を除いた着信呼情報に対する再抽選を行う
ことを特徴とする請求項１ないし４のうちいずれか１項に記載の抽選通知装置。
【請求項６】
コンピュータを、請求項１ないし５のうちいずれか１項に記載の抽選通知装置として機能させるためのプログラム。
【請求項７】
通信ネットワークを介して利用者端末と通信可能な抽選通知装置が実行する抽選通知方法であって、
複数の発信者からの所定の電話番号への発信に係る着信呼情報を取得する取得ステップと、
前記取得ステップにより取得された着信呼情報から抽選を行って、当選者を選定する抽選ステップと、
前記抽選ステップにより選定された当選者の着信呼情報に基づいて、当該当選者の利用者端末にメッセージを送信するメッセージ送信ステップと、
前記メッセージに基づき前記利用者端末から受信した利用者情報を利用者情報記憶手段に格納する利用者情報登録ステップとを備え、
前記メッセージ送信ステップにおいて、前記抽選通知装置は、当該抽選通知装置のアドレス情報を含むメッセージを前記当選者の利用者端末に送信し、当該利用者端末から前記アドレス情報に基づきアクセスを受け、当該利用者端末に利用者情報登録画面情報を提供する
ことを特徴とする抽選通知方法。
【請求項８】
前記抽選通知装置の抽選設定情報記憶手段において再抽選を行うことを示す情報が設定されている場合に、前記抽選通知装置は、当選済み着信呼情報を除いた着信呼情報に対する再抽選を行う
ことを特徴とする請求項７に記載の抽選通知方法。